(57)【要約】【課題】寝具に横たわる人のプライバシーを適切に保護することができるカーテン支持装置を提供する。【解決手段】支持装置は、寝具６の横臥面６１よりも上に位置する上位置部４５を有する支柱２と、上位置部４５の一部から水平面に沿って突出し、カーテン７を支えるように構成された片持ち梁状のカーテン支持部５と、を備える。【選択図】図１
2020195915.tif 000002
【特許請求の範囲】
【請求項１】
寝具の横臥面よりも上に位置する上位置部を有する支柱と、
前記上位置部の一部から水平面に沿って突出し、カーテンを支えるように構成された片持ち梁状のカーテン支持部と、
を備える、
カーテン支持装置。
【請求項２】
前記カーテン支持部は、長手方向に伸縮可能に構成されている、
請求項１記載のカーテン支持装置。
【請求項３】
前記カーテン支持部は、前記横臥面に対して、上下方向に平行移動可能に構成されている、
請求項１又は請求項２に記載のカーテン支持装置。
【請求項４】
前記支柱は、上下方向に伸縮可能に構成されている、
請求項１〜３のいずれか一項に記載のカーテン支持装置。
【請求項５】
前記カーテン支持部は、上下方向に沿った回転軸を中心として回転可能に構成されている、
請求項１〜４のいずれか一項に記載のカーテン支持装置。
【請求項６】
前記支柱は、前記寝具の設置面に載る載置部を有する、
請求項１〜５のいずれか一項に記載のカーテン支持装置。
【請求項７】
前記載置部は、当該載置部を前記設置面に沿って移動可能とする移動部を有する、
請求項６記載のカーテン支持装置。
【請求項８】
前記寝具はベッドフレームを有するベッドであり、
前記支柱は、前記ベッドフレームに取付け可能な取付け部を有する、
請求項１〜５のいずれか一項に記載のカーテン支持装置。
【発明の詳細な説明】
【技術分野】
【０００１】
本発明は、カーテン支持装置に関する。
【背景技術】
【０００２】
特許文献１には、従来のカーテン支持装置（特許文献１では「組立式カーテン」）が記載されている。この特許文献１に記載の組立式カーテンは、介護用ベッドに沿って立ち上がるケースと、ケースに収納されるカーテンと、を備える。カーテンは、ケースからベッドに沿って水平方向に引出し可能に構成されている。カーテンは、ばね部材によって収納する方向に、常時回転付勢されており、収納時には、ケース内に自動的に収納可能に構成されている。
【０００３】
特許文献１に記載の組立式カーテンによれば、カーテンをベッドに沿って引き出すことで、介護用ベッドに横たわっている患者に対する側方からの視界を遮ることができる。
【先行技術文献】
【特許文献】
【０００４】
【特許文献１】特開平８−５６９９５号公報
【発明の概要】
【発明が解決しようとする課題】
【０００５】
ところで、特許文献１に記載の組立式カーテンでは、カーテンを水平方向に沿って引き出して使用されるため、カーテンに対して一定の張力が働かないと、長さ方向の中間部分において上端が垂れ下がるという問題がある。例えば、ばね部材が劣化すると、カーテンに対して働く張力が弱くなり、この場合、垂れ下がった部分を通して、側方から患者が見えてしまい、患者に対する視界を遮ることができない。したがって、特許文献１に記載の組立式カーテンでは、患者のプライバシーを適切に保護できないことがある。
【０００６】
本発明は、上記事情に鑑みてなされ、寝具に横たわる人のプライバシーを適切に保護することができるカーテン支持装置を提供することを目的とする。
【課題を解決するための手段】
【０００７】
本発明に係る一態様のカーテン支持装置は、寝具の横臥面よりも上に位置する上位置部を有する支柱と、前記上位置部の一部から水平面に沿って突出し、カーテンを支えるように構成された片持ち梁状のカーテン支持部と、を備える。
【発明の効果】
【０００８】
本発明に係る上記態様のカーテン支持装置は、寝具に横たわる人のプライバシーを適切に保護することができる、という利点がある。
【図面の簡単な説明】
【０００９】
【図１】図１は、本発明の一実施形態に係るカーテン支持装置の使用状態の斜視図である。
【図２】図２Ａは、同上の支柱が伸長した状態のカーテン支持装置の正面図である。図２Ｂは、同上の支柱が収縮した状態のカーテン支持装置の正面図である。
【図３】図３Ａは、同上のカーテン支持部が第一位置から第二位置に回転することを説明する平面図である。図３Ｂは、同上の載置部と支柱本体との接続部分の断面図である。
【図４】図４Ａは、同上の使用位置にあるカーテン支持部の一部断面図である。図４Ｂは、同上の収納位置にあるカーテン支持部の一部断面図である。
【図５】図５Ａは、カーテンが取り付けられたカーテン支持部が使用位置に切り替えられた状態の説明図である。図５Ｂは、カーテンが取り付けられたカーテン支持部が収納位置に切り替えられた状態の説明図である。
【図６】図６は、変形例に係るカーテン支持装置の使用状態の斜視図である。
【図７】図７Ａは、更なる変形例に係るカーテン支持装置において、カーテンが取り付けられたカーテン支持部が使用位置に切り替えられた状態の説明図である。図７Ｂは、図７Ａのカーテン支持装置において、カーテンがカーテン支持部に対して移動可能に取り付けられた状態の説明図である。
【発明を実施するための形態】
【００１０】
（１）実施形態
（１．１）全体構成
【００１１】
以下、本実施形態に係るカーテン支持装置１について、詳細に説明する。
【００１２】
本実施形態に係るカーテン支持装置１は、図１に示すように、寝具６に横たわる人が他人に見られたくない部分（「要隠し部」という場合がある）と、人がいるスペースとの間にカーテン７を配置するための装置である。カーテン支持装置１にカーテン７を取り付けることで、例えば、寝具６に横たわる人に対する、スペースにいる人からの視界を遮ることができる。これによって、寝具６に横たわる人のプライバシーを保護することができる。なお、本実施形態では、「要隠し部」として、寝具６に横たわる人の全身を例にして説明するが、要隠し部は、寝具６に横たわる人の上半身のみであってもよく、特に制限はない。
【００１３】
「寝具６に横たわる人」は、本実施形態では、要介護者である。ここでいう「要介護者」とは、介助が必要な人を意味し、政令等で規定される「要介護者」に制限されない。すなわち、本開示でいう「要介護者」には、例えば、若年者も含む。ただし、本開示では、「寝具６に横たわる人」は要介護者に限らず、健常者であってもよい。
【００１４】
また、「人がいるスペース」は、実際に人がいるか否かは問わず、少なくとも一時的に人がいる可能性があるスペースを意味する。したがって、「人がいるスペース」には、部屋のほか、例えば、通路、屋外等も含む。その他、「人がいるスペース」としては、例えば、複数のベッドが並ぶ部屋において対象のベッド以外のベッドがある空間、診察室、居室、寝室、キッチン等が挙げられる。
【００１５】
寝具６は、寝る際に用いる道具であって、人が横たわる面（横臥面６１という）を持つ。本実施形態に係る寝具６は、設置面に設置されたベッドである。本実施形態に係る寝具６は、ベッドフレーム６２と、マットレス６３と、を備える。ただし、本開示に係る寝具６は、ベッドに限らず、例えば、敷布団、マットレス等であってもよい。
【００１６】
横臥面６１は、水平面に沿っており、略平面である。例えば、寝具６が、背上げ又は膝上げ機能を有する介護用ベッドである場合には、敷布団の上面は変形し得るが、ここでは、水平面に沿った状態の敷布団の上面を「横臥面６１」として定義する。
【００１７】
設置面は、寝具６が設置される面であり、本実施形態では水平面に沿っている。設置面としては、例えば、床面、タイル上面、じゅうたんの上面、カーペットの上面等が挙げられる。以下では、設置面を水平であるとし、設置面に直交する方向を「上下方向」として定義する。
【００１８】
カーテン支持装置１は、図１に示すように、一つの支柱２と、カーテン支持部５と、を備える。
（１．２）支柱
【００１９】
支柱２は、カーテン支持部５を支える柱である。本実施形態に係る支柱２は、載置部３と、支柱本体４と、を備える。
【００２０】
載置部３は、支柱２において設置面に載る部分である。載置部３は、設置面に対して固定的に載っていてもよいし、設置面に沿って移動可能に載っていてもよい。本実施形態に係る載置部３は、設置面に沿って移動可能に載っている。載置部３は、図２Ａに示すように、フレーム３１と、移動部３２と、を備える。
【００２１】
フレーム３１は、載置部３の主体を構成する。フレーム３１は、上方から見て（以下、平面視）、支柱本体４よりも拡がっており、設置面に対する設置状態を安定させることができる。本実施形態に係るフレーム３１は、平面視放射状に形成されており、各部分が、平面視において支柱２から離れるに従って下方に行くように、設置面に対して傾斜している。フレーム３１の下端は、設置面に対向する。
【００２２】
ただし、本開示に係るフレーム３１は、例えば、水平面に沿った板状、ブロック状、水平面に沿って延びた丸棒状、角棒状等に形成されてもよい。また、フレーム３１は、例えば、平面視で、十字状等に形成されてもよい。
【００２３】
移動部３２は、載置部３を設置面に沿って移動可能とする。本実施形態に係る移動部３２は、複数のキャスター３３である。各キャスター３３は、フレーム３１に対して回転可能に取り付けられたフォーク３２１と、フォーク３２１に回転可能に取り付けられた車輪３２２と、車輪３２２の回転をロックするストッパ３２３と、を備える。フォーク３２１の回転軸は上下方向に略平行である。車輪３２２の回転軸は設置面に略平行である。
【００２４】
本開示に係る移動部３２は、キャスター３３に限らず、複数の球体を設置面で回転させる機構で構成されてもよいし、キャタピラを持つ機構で構成されてもよいし、設置面との間の摩擦を低減させるスリップ板等で構成されてもよい。
【００２５】
支柱本体４は、支柱２の主体を構成する部分である。本実施形態に係る支柱本体４は、上下方向に沿った長手方向を有しており、上下方向に伸縮可能に構成されている。これによって、カーテン支持部５は、横臥面６１に対して、上下方向に平行移動し得る。本実施形態に係る支柱本体４は、図２Ａに示すように、固定部４１と、可動部４２と、ロック部４３と、を備える。
【００２６】
固定部４１は、載置部３に対して固定されている。可動部４２は、図２Ｂに示すように、固定部４１に対して、上下方向に沿って移動可能に取り付けられている。可動部４２の上端部を除く部分の外径は、固定部４１の内径よりも小さく形成されており、固定部４１と可動部４２とは、平面視で同心円状に配置されている。可動部４２の上端部の外径は、固定部４１の外径と略同じである。ロック部４３は、固定部４１に対する任意の位置で、可動部４２を固定することができる。
【００２７】
本開示に係る支柱本体４は、固定部４１と可動部４２とを１つずつ備えるが、上下方向に沿って複数の可動部４２を備えてもよく、要するに、支柱本体４は、テレスコピックパイプ状に形成されてもよい。ただし、本開示に係る支柱本体４は、伸縮可能に構成されていなくてもよく、単一のポールによって構成されてもよい。また、支柱本体４としては、ポールのほか、パイプ、角柱等で構成されてもよい。また、支柱本体４としては、複数のポールを束ねて構成されてもよいし、山型に折り曲げた一対のパイプで構成されてもよいし、複数の板体で構成されてもよい。
【００２８】
本実施形態に係る支柱本体４は、図２Ａに示すように、横臥面６１よりも下に位置する下位置部４４と、横臥面６１よりも上に位置する上位置部４５と、を備える。ただし、下位置部４４と上位置部４５とは、概念上の区別に過ぎず、外観上、境界は現れない。
【００２９】
下位置部４４は、フレーム３１から上方向に沿って突出する。下位置部４４の長手方向は、本実施形態では、上下方向に沿っている。上位置部４５は、下位置部４４の上端から上方向に沿って延びている。上位置部４５は、下位置部４４に対して一体であり、連続している。上位置部４５の上端は、本実施形態では、天井面との間に隙間があり、天井面から離れている。
【００３０】
本実施形態に係る支柱本体４は、図３Ａに示すように、載置部３に対して、回転可能に取り付けられている。支柱本体４の回転軸は、支柱本体４の長手方向に沿っており、すなわち、上下方向に沿っている。支柱本体４の下端は、図３Ｂに示すように、他の部分よりも外径が小さく形成されている。要するに、支柱本体４の下端部は、段付き状に形成されており、フレーム３１に対して、ベアリング４６を介して取り付けられている。
【００３１】
これによって、支柱本体４は、載置部３に対して回転可能に取り付けられており、言い換えると、カーテン支持部５は、載置部３に対して、上下方向に沿った回転軸を中心として回転し得る。なお、本実施形態に係るベアリング４６は、転がり軸受であるが、滑り軸受であってもよい。
【００３２】
カーテン支持部５は、図３Ａに示すように、寝具６の長手方向に略直交する第一位置（実線の位置）と、寝具６の長手方向に沿った第二位置（想像線の位置）との間で回転し得る。第一位置にあるカーテン支持部５は、本実施形態では、要隠し部と人がいるスペースとの間にカーテン７を配置することができる。この状態から、カーテン支持部５を上下方向に沿った回転軸を中心に、第二位置に向かって回転させると、カーテン支持部５は第二位置に切り替えられる。第二位置にあるカーテン支持部５は、例えば、カーテン７を使用しない位置に配置することができる。
（１．３）カーテン支持部
【００３３】
カーテン支持部５は、片持ち梁状に形成されており、カーテン７を支えることができる。カーテン支持部５は、上位置部４５の一部（ここでは上端部）から水平面に沿って突出している。本開示でいう「片持ち梁状」とは、カーテン支持部５が長手方向の両端部で支えられた構造ではなく、カーテン支持部５が長手方向の一方の端部でのみ支えられていることを意味する。
【００３４】
カーテン支持部５は、図４Ａ，４Ｂに示すように、長手方向に伸縮可能に構成されている。本実施形態に係るカーテン支持部５は、入れ子状に連結された複数（ここでは三つ）のスライドレールで構成されている。以下では、複数のスライドレールを、図４Ａに示すように、「第一のレール５１」、「第二のレール５２」及び「第三のレール５３」として定義する。
【００３５】
第一のレール５１は、可動部４２に対して固定的に取り付けられている。第一のレール５１の長手方向は、水平面に沿っている。第一のレール５１は中空構造である。第二のレール５２は、第一のレール５１に対して、第一のレール５１の長手方向に沿って移動可能に取り付けられている。第二のレール５２は、第一のレール５１の内部に取り付けられている。第二のレール５２は中空構造である。第三のレール５３は、第二のレール５２に対して、第二のレール５２の長手方向に沿って移動可能に取り付けられている。第三のレール５３は、第二のレール５２の内部に取り付けられている。第三のレール５３の先端には、鍔状部５３１が形成されており、鍔状部５３１によって、後述のハンガー７１の抜け止め、及び収縮したときの没入止めを実現することができる。
【００３６】
本実施形態に係るカーテン支持部５は、使用位置と収納位置との間で伸縮可能に構成されている。使用位置は、図４Ａに示すように、第一のレール５１に対して第二のレール５２が引き出された状態で、かつ第二のレール５２に対して第三のレール５３が引き出された状態が伸長した状態である。収納位置は、図４Ｂに示すように、第一のレール５１に対して第二のレール５２が入り込んだ状態で、かつ第二のレール５２に対して第三のレール５３が入り込んだ状態が収縮した状態である。
【００３７】
カーテン支持部５には、図５Ａに示すように、複数のハンガー７１を介してカーテン７が取り付けられる。本実施形態に係るハンガー７１は、リング状である。ただし、ハンガー７１としては、例えば、フック状等に形成されていてもよい。本実施形態に係るハンガー７１は、カーテン支持部５に対して、移動可能に取り付けられている。したがって、カーテン支持部５が使用位置に切り替えられると、図５Ａに示すように、カーテン７を広げることができる。カーテン支持部５が収納位置に切り替えられると、図５Ｂに示すように、カーテン７を収納することができる。このとき、カーテン７は、例えば、タッセル７２を用いて束ねられる。支柱本体４には房掛けを設けてもよい。
（１．４）使用例
【００３８】
使用の際、寝具６に隣接するようにして、カーテン支持装置１を配置する。カーテン支持装置１のカーテン支持部５に対し、複数のハンガー７１を介して、カーテン７を取り付ける。支柱２を適切な長さに伸長させ、カーテン支持部５を使用位置に切り替えた状態で、寝具６の上の要隠し部と、人がいるスペースとの間にカーテン７を位置させる。このとき、カーテン支持部５は横臥面６１に対して上下方向に平行移動可能に構成されているため、カーテン７を適切な高さに調整することができる。これによって、寝具６の横臥面６１に横たわる要介護者に対しておむつ交換を行う際等のプライバシーが確保できる。
【００３９】
また、別の使用例を示すと、上述のとおり、要隠し部は寝具６に横たわる人の上半身のみであってもよいとしたが、寝具６に横たわる人の上半身と下半身との間に、カーテン７を位置させてもよい。このようにすることで、おむつ交換を行う際、おむつ交換を行う人の視線と、寝具６に横たわる人の視線とが合う防ぐことができる。これによって、寝具６に横たわる人のプライバシーが確保できる。
【００４０】
非使用時には、カーテン支持部５を収縮させ、収納位置に切り替える。この状態をもって、収納状態としてもいいが、例えば、カーテン支持部５の長手方向が寝具６の長手方向に沿うように、カーテン支持部５を上下方向に沿った回転軸を中心として回転させて収納してもよい。
【００４１】
また、本実施形態に係るカーテン支持装置１では、載置部３が移動部３２を有しているため、カーテン支持装置１を別の場所に移動させることもできる。このとき、支柱２は伸縮可能に構成されているため、収縮した位置に切り替えることで、コンパクトな状態で収納することができる。
（２）変形例
【００４２】
上記実施形態は、本開示の様々な実施形態の一つに過ぎない。実施形態は、本開示の目的を達成できれば、設計等に応じて種々の変更が可能である。以下、変形例を説明する。
（２．１）変形例１
【００４３】
上記実施形態に係るカーテン支持装置１では、支柱２は、設置面に載る載置部３を有していたが、変形例１に係るカーテン支持装置１では、載置部３及び下位置部４４に代えて、取付け部４７を有する点で上記実施形態とは異なる。
【００４４】
変形例１に係るカーテン支持装置１は、図６に示すように、支柱２と、カーテン支持部５と、を備える。カーテン支持部５の構成は、上記実施形態と同じである。
【００４５】
支柱２は、取付け部４７と、支柱本体４と、を備える。取付け部４７は、ベッドフレーム６２に対して支柱２を取り付けるための部分である。本変形例に係る取付け部は、サイドレール６２１を介してベッドフレーム６２に取り付けられるが、ベッドフレーム６２に対して直接的に取り付けられてもよい。
【００４６】
本実施形態に係る取付け部は、取付け対象物（ここではサイドレール６２１）を挟み込むことで、取付け対象物に対して固定される。ただし、本開示に係る取付け部は、取付け対象物に対して挟み込みによる取付けに限らず、例えば、ねじ止め、嵌め込み、差し込み、ピンやリベットによる固定、溶接等で実現されてもよい。また、取付け対象物は、サイドレール６２１のほか、例えば、フットボード６２４、サイドボード６２２、ヘッドボード６２３等であってもよい。
【００４７】
本変形例に係る支柱本体４は、構造自体は上記実施形態と同じである。ただし、本変形例に係る支柱本体４は、横臥面６１よりも上に位置する上位置部４５のみであり、下位置部４４を有さない。上位置部４５は、上記実施形態と同様、伸縮可能に構成されている。また、カーテン支持部５は、上下方向に沿った回転軸を中心として回転し得る。
【００４８】
本変形例に係るカーテン支持装置１であっても、上記実施形態に係るカーテン支持装置１と同様の効果を奏することができる。
（２．２）その他の変形例
【００４９】
以下、実施形態の変形例を列挙する。以下に説明する変形例は、適宜組み合わせて適用可能である。
【００５０】
上記実施形態に係るカーテン支持部５は、長手方向に伸縮可能に構成されたが、図７Ａ，７Ｂに示すように、伸縮しない一のパイプで構成されてもよい。この場合、カーテン支持部５に対して移動可能な複数のハンガー７１を用いてカーテン７が取り付けられる。
【００５１】
上記実施形態に係るカーテン支持部５は、支柱２が長手方向に伸縮することで、横臥面６１に対して上下方向に平行移動可能に構成されたが、本開示では、支柱２は伸縮しなくてもよく、例えば、支柱２に対してカーテン支持部５が移動することで、カーテン支持部５が上下方向に平行移動してもよい。
【００５２】
上記実施形態に係るカーテン支持部５は、支柱２の上位置部４５の一部として、上位置部４５の上端部から水平面に沿って突出していたが、本開示では、例えば、支柱２の上位置部４５の上下方向の中央部から水平面に沿って突出していてもよく、支柱２の上端部に制限されない。
【００５３】
上記実施形態に係るカーテン支持装置１では、支柱本体４が載置部３に対して回転することで、カーテン支持部５が、上下方向に沿った回転軸を中心として回転可能に構成されていたが、本開示では、カーテン支持部５は、支柱２の外周面に沿って移動することで、上下方向に沿った回転軸を中心として回転可能に構成されてもよい。
【００５４】
上記実施形態では、支柱本体４と載置部３との間にベアリング４６が設けられたが、ベアリング４６はなくてもよい。
【００５５】
カーテン７の素材には特に制限はなく、例えば、天然繊維、ポリエステル、アクリル、ナイロン、レーヨン、これらを混合した布、ビニール等で構成されてもよい。
（３）態様
【００５６】
以上説明したように、第１の態様に係るカーテン支持装置１は、寝具６の横臥面６１よりも上に位置する上位置部４５を有する支柱２と、上位置部４５の一部から水平面に沿って突出し、カーテン７を支えるように構成された片持ち梁状のカーテン支持部５と、を備える。
【００５７】
この態様によれば、寝具６の上方からカーテン７を吊るすことができ、カーテン７によって、寝具６に横たわる人に対する他人の視界を遮ることができる。このため、この態様によれば、寝具６に横たわる人のプライバシーを適切に保護することができる。
【００５８】
第２の態様に係るカーテン支持装置１では、第１の態様において、カーテン支持部５は、長手方向に伸縮可能に構成されている。
【００５９】
この態様によれば、カーテン支持部５を容易に収納することができる。
【００６０】
第３の態様に係るカーテン支持装置１では、第１又は第２の態様において、カーテン支持部５は、横臥面６１に対して、上下方向に平行移動可能に構成されている。
【００６１】
この態様によれば、カーテン７の高さを調整することができる。一般、カーテン７が天井面に近接して吊り下げられる場合、寝具６に横たわる人は圧迫感を感じることがあるが、この態様によれば、カーテン７の上端と天井とを離すことができ、寝具６に横たわる人が受ける圧迫感を和らげることができる。
【００６２】
第４の態様に係るカーテン支持装置１では、第１〜３のいずれか１つの態様において、支柱２は、上下方向に伸縮可能に構成されている
【００６３】
この態様によれば、片持ち梁状の構造上の強度を保ちながらも、カーテン支持部５の上下方向に沿った平行移動が可能な構造を、容易に実現することができる。
【００６４】
第５の態様に係るカーテン支持装置１では、第１〜４のいずれか１つの態様において、カーテン支持部５は、上下方向に沿った回転軸を中心として回転可能に構成されている。
【００６５】
この態様によれば、例えば、寝具６に横たわる人を介護者が補助する際に、カーテン７を移動させることができ、カーテン７が邪魔になるのを防ぐことができる。
【００６６】
第６の態様に係るカーテン支持装置１では、第１〜５のいずれか１つの態様において、支柱２は、寝具６の設置面に載る載置部３を有する。
【００６７】
この態様によれば、カーテン支持装置１を設置面に設置することができる。
【００６８】
第７の態様に係るカーテン支持装置１では、第６の態様において、載置部３は、当該載置部３を設置面に沿って移動可能とする移動部３２を有する。
【００６９】
この態様によれば、カーテン支持装置１を容易に移動させることができる。
【００７０】
第８の態様に係るカーテン支持装置１では、第１〜５のいずれか１つの態様において、寝具６は、ベッドフレーム６２を有するベッドである。支柱２は、ベッドフレーム６２に取付け可能な取付け部を有する。
【００７１】
この態様によれば、カーテン支持装置１をベッドに対して設置することで、設置面のスペースを確保することができ、例えば、介護者や要介護者が載置部３を踏んでしまうのを回避することができる。
【００７２】
第２〜第８の態様に係る構成については、カーテン支持装置１に必須の構成ではなく、適宜省略可能である。
【符号の説明】
【００７３】
１      カーテン支持装置
２      支柱
３      載置部
３２    移動部
４５    上位置部
５      カーテン支持部
６      寝具
６１    横臥面
６２    ベッドフレーム
７      カーテン
【図１】
2020195915.tif 000003
【図２】
2020195915.tif 000004
【図３】
2020195915.tif 000005
【図４】
2020195915.tif 000006
【図５】
2020195915.tif 000007
【図６】
2020195915.tif 000008
【図７】
2020195915.tif 000009